【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
サイドフレームと、
該サイドフレームに取り付けられて、エアバッグを格納するエアバッグモジュールと、
トリムカバーの破断部に一端部が取り付けられる力布と、
該力布の他端部に接続される取付部材と、を有し、
前記取付部材は、前記サイドフレームの縁部の端部を挟持する溝部と、前記力布の他端部を内部に保持する保持空間と、を備え、
前記取付部材の外周には、前記力布が接する湾曲面が形成されていることを特徴とするエアバッグモジュール装備シート。
【請求項２】
前記取付部材の外周の前記湾曲面の近傍には、前記力布から離れる方向に凹んだ凹部が形成されていることを特徴とする請求項１に記載のエアバッグモジュール装備シート。
【請求項３】
前記凹部の凹みは、前記力布の厚さよりも深く形成されていることを特徴とする請求項２に記載のエアバッグモジュール装備シート。
【請求項４】
前記サイドフレームの前記縁部は、シート幅方向における内側に折り返されており、
前記溝部には、該溝部の内側に突出する突起が形成されており、
前記突起は、前記サイドフレームの前記縁部の裏面及び表面にそれぞれ当接し、
前記取付部材は、前記サイドフレームの内側に向いた前記縁部の外側の面に覆いかぶさるように設けられるとともに、前記突起が形成された延出部を有し、
前記延出部の外側の面に沿って前記力布が配置されていることを特徴とする請求項１乃至３のいずれか一項に記載のエアバッグモジュール装備シート。
【請求項５】
前記保持空間は、シート幅方向外側に開口していることを特徴とする請求項１乃至４のいずれか一項に記載のエアバッグモジュール装備シート。
【請求項６】
前記溝部が延在する方向は、前記保持空間から前記破断部に延在する前記力布の少なくとも一部の延在方向と同一の方向であることを特徴とする請求項１乃至５のいずれか一項に記載のエアバッグモジュール装備シート。
【請求項７】
前記力布の他端部は、前記サイドフレームの外側から回り込んで、前記保持空間に取り付けられており、
該凹部が形成された部位において、前記取付部材の外周面と前記力布との間には隙間が形成されていることを特徴とする請求項２又は３に記載のエアバッグモジュール装備シート。
【請求項８】
前記保持空間は、前記サイドフレームの、シート幅方向における外側の端部と内側の端部との間に形成されていることを特徴とする請求項１乃至７のいずれか一項に記載のエアバッグモジュール装備シート。
【請求項９】
前記取付部材には、前記保持空間から前記力布の延びる側へ延在するとともに鈍角に屈曲する外面が形成されていることを特徴とする請求項１乃至８のいずれか一項に記載のエアバッグモジュール装備シート。
【請求項１０】
前記力布の他端部は、前記エアバッグモジュールと前記サイドフレームとがボルトで接続される部分よりも、シート幅方向の内側に配置されていることを特徴とする請求項１乃至９のいずれか一項に記載のエアバッグモジュール装備シート。
【手続補正２】
【補正対象書類名】明細書
【補正対象項目名】発明の名称
【補正方法】変更
【補正の内容】
【発明の名称】エアバッグモジュール装備シート
【手続補正３】
【補正対象書類名】明細書
【補正対象項目名】０００８
【補正方法】変更
【補正の内容】
【０００８】
前記課題は、本発明のエアバッグモジュール装備シートによれば、サイドフレームと、該サイドフレームに取り付けられて、エアバッグを格納するエアバッグモジュールと、トリムカバーの破断部に一端部が取り付けられる力布と、該力布の他端部に接続される取付部材と、を有し、前記取付部材は、前記サイドフレームの縁部の端部を挟持する溝部と、前記力布の他端部を内部に保持する保持空間と、を備え、前記取付部材の外周には、前記力布が接する湾曲面が形成されていること、により解決される。
【手続補正４】
【補正対象書類名】明細書
【補正対象項目名】０００９
【補正方法】変更
【補正の内容】
【０００９】
このとき、前記取付部材の外周の前記湾曲面の近傍には、前記力布から離れる方向に凹んだ凹部が形成されていると好適である。
【手続補正５】
【補正対象書類名】明細書
【補正対象項目名】００１０
【補正方法】変更
【補正の内容】
【００１０】
このとき、前記凹部の凹みは、前記力布の厚さよりも深く形成されていると好適である。
【手続補正６】
【補正対象書類名】明細書
【補正対象項目名】００１１
【補正方法】変更
【補正の内容】
【００１１】
このとき、前記サイドフレームの前記縁部は、シート幅方向における内側に折り返されており、前記溝部には、該溝部の内側に突出する突起が形成されており、前記突起は、前記サイドフレームの前記縁部の裏面及び表面にそれぞれ当接し、前記取付部材は、前記サイドフレームの内側に向いた前記縁部の外側の面に覆いかぶさるように設けられるとともに、前記突起が形成された延出部を有し、前記延出部の外側の面に沿って前記力布が配置されていると好適である。
【手続補正７】
【補正対象書類名】明細書
【補正対象項目名】００１２
【補正方法】変更
【補正の内容】
【００１２】
このとき、前記保持空間は、シート幅方向外側に開口していると好適である。
【手続補正８】
【補正対象書類名】明細書
【補正対象項目名】００１３
【補正方法】変更
【補正の内容】
【００１３】
このとき、前記溝部が延在する方向は、前記保持空間から前記破断部に延在する前記力布の少なくとも一部の延在方向と同一の方向であると好適である。
【手続補正９】
【補正対象書類名】明細書
【補正対象項目名】００１４
【補正方法】変更
【補正の内容】
【００１４】
このとき、前記力布の他端部は、前記サイドフレームの外側から回り込んで、前記保持空間に取り付けられており、該凹部が形成された部位において、前記取付部材の外周面と前記力布との間には隙間が形成されていると好適である。
【手続補正１０】
【補正対象書類名】明細書
【補正対象項目名】００１５
【補正方法】変更
【補正の内容】
【００１５】
このとき、前記保持空間は、前記サイドフレームの、シート幅方向における外側の端部と内側の端部との間に形成されていると好適である。
【手続補正１１】
【補正対象書類名】明細書
【補正対象項目名】００１６
【補正方法】変更
【補正の内容】
【００１６】
このとき、前記取付部材には、前記保持空間から前記力布の延びる側へ延在するとともに鈍角に屈曲する外面が形成されていると好適である。
【手続補正１２】
【補正対象書類名】明細書
【補正対象項目名】００１７
【補正方法】変更
【補正の内容】
【００１７】
このとき、前記力布の他端部は、前記エアバッグモジュールと前記サイドフレームとがボルトで接続される部分よりも、シート幅方向の内側に配置されていると好適である。
【手続補正１３】
【補正対象書類名】明細書
【補正対象項目名】００１８
【補正方法】変更
【補正の内容】
【００１８】
本発明によれば、取付部材を組み付けるときの組付け性が向上する。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】